(57)【特許請求の範囲】
【請求項１】
前端に空気の吹出口（S）を有する筒状の枠体（3）と、
上記枠体（3）内部に互いに平行に配設され、それぞれ所定の第１方向に延びる第１軸（A）周りに回動可能な複数の前ブレード（5,5,…)と、
上記枠体（3）内部の前ブレード（5,5,…)よりも後側に互いに平行に配設され、それぞれ上記第１方向と交差する第２方向に延びる第２軸（B）周りに回動可能な複数の後ブレード（7,7,…)と、
上記複数の前ブレード（5,5,…)及び上記複数の後ブレード(7,7,…)を回動させる回動機構（9）とを備え、
上記複数の後ブレード（7,7,…)の１つには、前方に開口する切欠部（75）が形成され、
上記切欠部（75）には、当該切欠部（75）の周縁部における上記第２方向の一方側と他方側とを接続する係合柱（79）が設けられ、
上記回動機構（9）は、上記複数の前ブレード（5,5,…)の１つに上記第１方向にスライド移動可能に取り付けられる操作ノブ（91）と、上記係合柱（79）と係合するリンクアーム（93）とを有し、
上記操作ノブ（91）及びリンクアーム（93）は、上記第１軸（A）と平行な第３軸（C）周りに互い回動可能に連結され、
上記操作ノブ（91）の第３軸（C）周りの回動により、当該操作ノブ（91）が取り付けられた前ブレード（5)が上記第１軸(A）周りに回動し、それに連動して他の全ての前ブレード（5,5,…)が上記第１軸（A）周りに回動する一方、上記操作ノブ（91）の上記第１方向へのスライド移動により、その移動力が上記リンクアーム（93）を介して上記係合柱（79）が設けられた上記後ブレード（7）に伝動して該後ブレード（7）が第２軸（B）周りに回動し、それに連動して他の全ての上記後ブレード（7,7,…)が第２軸（B）周りに回動するように構成されたレジスタであって、
上記係合柱（79）は、当該係合柱（79）の上記第２方向における中程に球体（79a）を有し、
上記リンクアーム（93）は、前後方向に腕状に延びると共に上記第１方向に互いに対向する一対の係合片部（93d,93d）を有し、
上記各係合片部（93d）の対向面（93h）には、上記球体（79a）の曲面に対応する凹状湾曲面（93f）を有する係合溝（93g）が前後方向に延びるように形成され、
上記両係合片部（93d,93d）は、前記係合溝（93g）の前後方向における中程において、該係合溝（93g）の凹状湾曲面（93f）で上記球体（79a）を上記第１方向の両側から挟んで、上記球体（79a）に対し、前後方向に摺動可能に且つ、上記第２方向に傾動可能に常時係合し、
上記各係合片部（93d,93d）のうち上記球体（79a）よりも上記切欠部（75）の奥側に延びる部分と上記切欠部（75）の周縁部との間には、当該係合片部（93d,93d）の傾動動作を許容するための隙間が設けられている
ことを特徴とするレジスタ。
【請求項２】
前端に空気の吹出口（S）を有する筒状の枠体（3）と、
上記枠体（3）内部に互いに平行に配設され、それぞれ所定の第１方向に延びる第１軸（A）周りに回動可能な複数の前ブレード（5,5,…)と、
上記枠体（3）内部の前ブレード（5,5,…)よりも後側に互いに平行に配設され、それぞれ上記第１方向と交差する第２方向に延びる第２軸（B）周りに回動可能な複数の後ブレード（7,7,…)と、
上記複数の前ブレード（5,5,…)及び上記複数の後ブレード(7,7,…)を回動させる回動機構（9）とを備え、
上記複数の後ブレード（7,7,…)の１つには、前方に開口する切欠部（75）が形成され、
上記切欠部（75）には、当該切欠部（75）の周縁部における上記第２方向の一方側と他方側とを接続する係合柱（79）が設けられ、
上記回動機構（9）は、上記複数の前ブレード（5,5,…)の１つに上記第１方向にスライド移動可能に取り付けられる操作ノブ（91）と、上記係合柱（79）と係合するリンクアーム（93）とを有し、
上記操作ノブ（91）及びリンクアーム（93）は、上記第１軸（A）と平行な第３軸（C）周りに互い回動可能に連結され、
上記操作ノブ（91）の第３軸（C）周りの回動により、当該操作ノブ（91）が取り付けられた前ブレード（5)が上記第１軸(A）周りに回動し、それに連動して他の全ての前ブレード（5,5,…)が上記第１軸（A）周りに回動する一方、上記操作ノブ（91）の上記第１方向へのスライド移動により、その移動力が上記リンクアーム（93）を介して上記係合柱（79）が設けられた上記後ブレード（7）に伝動して該後ブレード（7）が第２軸（B）周りに回動し、それに連動して他の全ての上記後ブレード（7,7,…)が第２軸（B）周りに回動するように構成されたレジスタであって、
上記係合柱（79）は、球体（79a）と、上記球体（79ａ)の上記第２方向の一方側の端部と上記切欠部(75）の周縁部における上記第２方向の一方側とを接続する第１軸部（79b）と、上記球体（79a）の上記第２方向の他方側の端部と上記切欠部（75）の周縁部における上記第２方向の他方側とを接続する第２軸部（79c）とをさらに有し、
上記リンクアーム（193）は、前後方向に延びると共に上記球体（79a）に摺動可能に当接する複数本の係合ピン（193d,193d,…)を有し、
上記複数本の係合ピン（193d,193d,…)には、上記係合柱(79）の上記第１方向の一方側で上記第１軸部（79b）及び球体（79a）に当接する係合ピン（193d1）と、上記係合柱（79）の上記第１方向の他方側で上記第２軸部（79c）及び球体（79a）に当接する係合ピン（193d2）とが含まれ、
上記リンクアーム（93）は、上記複数本の係合ピン（193d,193d,…）で、上記球体（79a）に対し、前後方向に摺動可能に且つ、上記第２方向に傾動可能に常時係合している
ことを特徴とするレジスタ。
【請求項３】
前端に空気の吹出口（S）を有する筒状の枠体（3）と、
上記枠体（3）内部に互いに平行に配設され、それぞれ所定の第１方向に延びる第１軸（A）周りに回動可能な複数の前ブレード（5,5,…)と、
上記枠体（3）内部の前ブレード（5,5,…)よりも後側に互いに平行に配設され、それぞれ上記第１方向と交差する第２方向に延びる第２軸（B）周りに回動可能な複数の後ブレード（7,7,…)と、
上記複数の前ブレード（5,5,…)及び上記複数の後ブレード(7,7,…)を回動させる回動機構（9）とを備え、
上記複数の後ブレード（7,7,…)の１つには、前方に開口する切欠部（75）が形成され、
上記切欠部（75）には、当該切欠部（75）の周縁部における上記第２方向の一方側と他方側とを接続する係合柱（79）が設けられ、
上記回動機構（9）は、上記複数の前ブレード（5,5,…)の１つに上記第１方向にスライド移動可能に取り付けられる操作ノブ（91）と、上記係合柱（79）と係合するリンクアーム（93）とを有し、
上記操作ノブ（91）及びリンクアーム（93）は、上記第１軸（A）と平行な第３軸（C）周りに互い回動可能に連結され、
上記操作ノブ（91）の第３軸（C）周りの回動により、当該操作ノブ（91）が取り付けられた前ブレード（5)が上記第１軸(A）周りに回動し、それに連動して他の全ての前ブレード（5,5,…)が上記第１軸（A）周りに回動する一方、上記操作ノブ（91）の上記第１方向へのスライド移動により、その移動力が上記リンクアーム（93）を介して上記係合柱（79）が設けられた上記後ブレード（7）に伝動して該後ブレード（7）が第２軸（B）周りに回動し、それに連動して他の全ての上記後ブレード（7,7,…)が第２軸（B）周りに回動するように構成されたレジスタであって、
上記係合柱（79）は、球体（79a）を有し、
上記リンクアーム（193）は、前後方向に延びると共に上記球体（79a）に摺動可能に当接する３本以上の係合ピン（193d,193d,…)を有し、
上記３本以上の係合ピン（193d,193d,…)には、上記球体（79a）の中心（Q）を通る直線（X）で該球体（79a）を２分割したときに、該２分割された球体（79a）の一方側に当接する２本の係合ピン（193d３,193d４）と、上記２分割された球体（79a）の他方側の部分であって、上記２本の係合ピン(193d３,193d４）と上記球体(79a）の中心（Q）に対して点対称となる位置の間の部分に当接する係合ピン（193d5）とが含まれ、
上記リンクアーム（93）は、上記３本以上の係合ピン（193d,193d,…）で、上記球体（79a）に対し、前後方向に摺動可能に且つ、上記第２方向に傾動可能に常時係合している
ことを特徴とするレジスタ。
【請求項４】
前端に空気の吹出口（S）を有する筒状の枠体（3）と、
上記枠体（3）内部に互いに平行に配設され、それぞれ所定の第１方向に延びる第１軸（A）周りに回動可能な複数の前ブレード（5,5,…)と、
上記枠体（3）内部の前ブレード（5,5,…)よりも後側に互いに平行に配設され、それぞれ上記第１方向と交差する第２方向に延びる第２軸（B）周りに回動可能な複数の後ブレード（7,7,…)と、
上記複数の前ブレード（5,5,…)及び上記複数の後ブレード(7,7,…)を回動させる回動機構（9）とを備え、
上記複数の後ブレード（7,7,…)の１つには、前方に開口する切欠部（75）が形成され、
上記切欠部（75）には、当該切欠部（75）の周縁部における上記第２方向の一方側と他方側とを接続する係合柱（79）が設けられ、
上記回動機構（9）は、上記複数の前ブレード（5,5,…)の１つに上記第１方向にスライド移動可能に取り付けられる操作ノブ（91）と、上記係合柱（79）と係合するリンクアーム（93）とを有し、
上記操作ノブ（91）及びリンクアーム（93）は、上記第１軸（A）と平行な第３軸（C）周りに互い回動可能に連結され、
上記操作ノブ（91）の第３軸（C）周りの回動により、当該操作ノブ（91）が取り付けられた前ブレード（5)が上記第１軸(A）周りに回動し、それに連動して他の全ての前ブレード（5,5,…)が上記第１軸（A）周りに回動する一方、上記操作ノブ（91）の上記第１方向へのスライド移動により、その移動力が上記リンクアーム（93）を介して上記係合柱（79）が設けられた上記後ブレード（7）に伝動して該後ブレード（7）が第２軸（B）周りに回動し、それに連動して他の全ての上記後ブレード（7,7,…)が第２軸（B）周りに回動するように構成されたレジスタであって、
上記係合柱（79）は、球体（79a）を有し、
上記リンクアーム（193）は、前後方向に延びると共に上記球体（79a）に摺動可能に当接する４本以上の係合ピン（193d,193d,…)を有し、
上記４本以上の係合ピン（193d,193d,…）には、上記球体（79a）の中心（Q）に対して点対称に配置された４本の係合ピン（193d,193d,…)が含まれ、
上記リンクアーム（93）は、上記４本以上の係合ピン（193d,193d,…）で、上記球体（79a）に対し、前後方向に摺動可能に且つ、上記第２方向に傾動可能に常時係合している
ことを特徴とするレジスタ。
【請求項５】
請求項１〜４のいずれか１項に記載されたレジスタにおいて、
上記リンクアーム（93）は、上記第１方向における両側に、前方に向かって延出する延出部（93c,93c）をそれぞれ有すると共に、これら２つの延出部（93c,93c）の間に、前方に向かって突出する位置決め部（93b）を有し、
上記操作ノブ（91）は、後端部に、上記第１方向における嵌合構造により互いに異なる上記延出部（93c,93c）と上記第３軸（C）周りに回動可能に連結される２つの連結片（91b,91b）を上記第１方向に離間して有すると共に、これら２つの連結片（91b,91b）の間に、後方に向かって突出し且つ上記位置決め部（93b）を挟むことで該位置決め部（93b）の上記第１方向における移動を規制する２つの規制突起（91d,91d）を有する
ことを特徴とするレジスタ。
【発明の詳細な説明】
【技術分野】
【０００１】
本発明は、例えば自動車の車室内の換気や空調の空気吹出部に使用されるレジスタに関する。
【背景技術】
【０００２】
従来より、自動車のインストルメントパネル等に配設され、例えば空調装置で調節された調和空気を車室内に吹き出す空気吹出部に使用されるレジスタが知られている。
【０００３】
例えば特許文献１には、略矩形筒状の枠体内部に互いに平行に配設され、左右方向に延びる軸周り（つまり、上下方向）に回動可能な複数の前ブレードと、枠体内部の前ブレードよりも後側に互いに平行に配設され、上下方向に延びる軸周り（つまり、左右方向）に回動可能な複数の後ブレードとを備えたレジスタが開示されている。そして、複数の後ブレードの１つには、前方に開口する切欠部が設けられ、該切欠部には当該切欠部の周縁部における上側部分と下側部分とを接続する係合柱が設けられている。また、このレジスタは、複数の前ブレードの１つに左右方向にスライド移動可能に装着された操作ノブと、該操作ノブに嵌め込まれる連結部材と、係合柱と係合するリンクアームとを備えている。そして、操作ノブと一体化された連結部材及びリンクアームは、上下方向に互いに回動可能に嵌合連結されている。リンクアームは、係合柱を挟んで左右両側に配設される一対の脚部を有する。
【０００４】
このレジスタでは、使用者が操作ノブを上下方向に回動させると、操作ノブが装着された前ブレードが上下方向に回動し、それに連動して他の全ての前ブレードが上下方向に回動する一方、使用者が操作ノブを左右方向にスライド移動させると、その移動力がリンクアームの一対の脚部から係合柱が設けられた後ブレードに伝動して該後ブレードが左右方向に回動し、それに連動して他の全ての後ブレードが左右方向に回動する。これにより、空気の吹出方向を上下左右に調整することができるようになっている。
【先行技術文献】
【特許文献】
【０００５】
【特許文献１】特許第４１１８１９８号公報（第４〜６頁、図１〜７）
【発明の概要】
【発明が解決しようとする課題】
【０００６】
しかしながら、前記特許文献１のレジスタでは、使用者が操作ノブを上下方向に回動させたときに、操作ノブと一体となってリンクアームも上下方向に回動するように構成されている。こうした構成では、例えば摩耗によりリンクアームと連結部材との連結が緩んだときには、空調装置からの調和空気等によりリンクアームが連結部材との連結部を支点として上下方向に回動してバタつき、それによって異音が発生する虞がある。
【０００７】
本発明は、かかる点に鑑みてなされたものであり、その目的とするところは、操作ノブを操作することにより調和空気等の吹出方向を調節することができるレジスタにおいて、操作ノブに回動可能に連結されたリンクアームのバタつきを防止することである。
【課題を解決するための手段】
【０００８】
上記課題を解決するために、本発明では、係合柱に球体を設け、この球体にリンクアームを常時係合させた。
【０００９】
具体的には、本発明は、前端に空気の吹出口を有する筒状の枠体と、上記枠体内部に互いに平行に配設され、それぞれ所定の第１方向に延びる第１軸周りに回動可能な複数の前ブレードと、上記枠体内部の前ブレードよりも後側に互いに平行に配設され、それぞれ上記第１方向と交差する第２方向に延びる第２軸周りに回動可能な複数の後ブレードと、上記複数の前ブレード及び上記複数の後ブレードを回動させる回動機構とを備え、上記複数の後ブレードの１つには、前方に開口する切欠部が形成され、上記切欠部には、当該切欠部の周縁部における上記第２方向の一方側と他方側とを接続する係合柱が設けられ、上記回動機構は、上記複数の前ブレードの１つに第１方向にスライド移動可能に取り付けられる操作ノブと、上記係合柱と係合するリンクアームとを有し、上記操作ノブ及びリンクアームは、上記第１軸と平行な第３軸周りに互い回動可能に連結され、上記操作ノブの第３軸周りの回動により、当該操作ノブが取り付けられた前ブレードが第１軸周りに回動し、それに連動して他の全ての前ブレードが第１軸周りに回動する一方、上記操作ノブの第１方向へのスライド移動により、その移動力が上記リンクアームを介して上記係合柱が設けられた後ブレードに伝動して該後ブレードが第２軸周りに回動し、それに連動して他の全ての後ブレードが第２軸周りに回動するように構成されたレジスタを対象とし、以下の解決手段を講じたものである。
【００１０】
すなわち、第１の発明では、上記係合柱は、当該係合柱の上記第２方向における中程に球体を有し、上記リンクアームは、前後方向に腕状に延びると共に上記第１方向に互いに対向する一対の係合片部を有し、上記各係合片部の対向面には、上記球体の曲面に対応する凹状湾曲面を有する係合溝が前後方向に延びるように形成され、上記両係合片部は、前記係合溝の前後方向における中程において、該係合溝の凹状湾曲面で上記球体を上記第１方向の両側から挟んで、上記球体に対し、前後方向に摺動可能に且つ、上記第２方向に傾動可能に常時係合し、上記各係合片部のうち上記球体よりも上記切欠部の奥側に延びる部分と上記切欠部の周縁部との間には、当該係合片部の傾動動作を許容するための隙間が設けられていることを特徴とする。
【００１１】
第２の発明では、上記係合柱は、球体と、該球体の上記第２方向の一方側の端部と上記切欠部の周縁部における上記第２方向の一方側とを接続する第１軸部と、上記球体の上記第２方向の他方側の端部と上記切欠部の周縁部における上記第２方向の他方側とを接続する第２軸部とを有し、上記リンクアームは、前後方向に延びると共に上記球体に摺動可能に当接する複数の係合ピンを有し、上記複数本の係合ピンには、上記係合柱の第１方向の一方側で上記第１軸部及び球体に当接する係合ピンと、上記係合柱の第１方向の他方側で上記第２軸部及び球体に当接する係合ピンとが含まれ、上記リンクアームは、上記複数本の係合ピンで、上記球体に対し、前後方向に摺動可能に且つ、上記第２方向に傾動可能に常時係合していることを特徴とする。
【００１２】
第３の発明では、上記係合柱は、球体を有し、上記リンクアームは、前後方向に延びると共に上記球体に摺動可能に当接する３本以上の係合ピンを有し、上記３本以上の係合ピンには、上記球体の中心を通る直線で該球体を２分割したときに、該２分割された球体の一方側に当接する２本の係合ピンと、上記２分割された球体の他方側の部分であって、上記２本の係合ピンと球体の中心に対して点対称となる位置の間の部分に当接する係合ピンとが含まれ、上記リンクアームは、上記３本以上の係合ピンで、上記球体に対し、前後方向に摺動可能に且つ、上記第２方向に傾動可能に常時係合していることを特徴とする。
【００１３】
第４の発明では、上記係合柱は、球体を有し、上記リンクアームは、前後方向に延びると共に上記球体に摺動可能に当接する４本以上の係合ピンを有し、上記４本以上の係合ピンには、上記球体の中心に対して点対称に配置された４本の係合ピンが含まれ、上記リンクアームは、上記４本以上の係合ピンで、上記球体に対し、前後方向に摺動可能に且つ、上記第２方向に傾動可能に常時係合していることを特徴とする。
【００１４】
第５の発明では、第１〜第４の発明のうちのいずれか１つのレジスタにおいて、上記リンクアームは、上記第１方向における両側に、前方に向かって延出する延出部をそれぞれ有すると共に、これら２つの延出部の間に、前方に向かって突出する位置決め部を有し、上記操作ノブは、後端部に、上記第１方向における嵌合構造により互いに異なる上記延出部と上記第３軸周りに回動可能に連結される２つの連結片を上記第１方向に離間して有すると共に、これら２つの連結片の間に、後方に向かって突出し且つ上記位置決め部を挟むことで該位置決め部の上記第１方向における移動を規制する２つの規制突起を有することを特徴とする。
【発明の効果】
【００１５】
第１の発明によると、リンクアームが球体に常時係合しているため、リンクアームのバタつきを防止することができる。
【００１６】
また、第１の発明によると、係合片部の係合溝により、リンクアームを球体に前後方向に摺動可能に且つ、第２方向に傾動可能に係合させることができる。
【００１７】
第２，３，４の発明によると、複数本の係合ピンにより、リンクアームを球体に前後方向に摺動可能に且つ、第２方向に傾動可能に係合させることができる。
【００１８】
また、係合ピンは、第１の発明に係る係合片部に比べて球体に対する大きさを小さくし得る。従って、空調装置からの調和空気等の流通抵抗を第１の発明よりも低減することができる。
【図面の簡単な説明】
【００１９】
【図１】実施形態１に係るレジスタの概略斜視図である。
【図２】実施形態１に係る回動機構の周辺部の斜視図である。
【図３】実施形態１に係る後ブレードの斜視図である。
【図４】実施形態１に係る操作ノブの斜視図である。
【図５】実施形態１に係るリンクアームの斜視図である。
【図６】図２のVI-VI線断面図である。
【図７】実施形態１に係るレジスタの動作説明図である。
【図８】実施形態２に係るリンクアームの斜視図である。
【図９】実施形態２に係るレジスタの図６相当図である。
【図１０】係合ピンの本数を２本にしたときのリンクアームと球体との係合が解除されないような係合状態を示す図である。
【図１１】係合ピンの本数を３本にしたときのリンクアームと球体との係合が解除されないような係合状態を示す図である。
【発明を実施するための形態】
【００２０】
以下、本発明の実施形態を図面に基づいて詳細に説明する。尚、以下の好ましい実施形態の説明は、本質的に例示に過ぎない。
【００２１】
《実施形態１》
図１は、本発明の実施形態１に係るレジスタ１の概略斜視図である。このレジスタ１は、例えば自動車のインストルメントパネル等に配設され、空調装置で調節された調和空気を車室内に吹き出す空気吹出部に使用されるものであり、調和空気の吹出方向を上下左右に調整する機能を有する。
【００２２】
（レジスタの構成）
レジスタ１は、後端部（図１の紙面奥側の端部）が図示しないエアダクトを介して空調装置（不図示）に接続されると共に前端部に空調装置で調節された空気の吹出口Ｓを有する略矩形筒状の枠体３を備える。
【００２３】
枠体３の前端部には、レジスタ１の前面を形成する略矩形状の化粧枠３１が取り付けられている。
【００２４】
化粧枠３１の下部には、枠体３内部に形成される空気通路を開閉するシャッタ（図示せず）を操作するための操作ダイヤル３３が設けられている。
【００２５】
枠体３内部の吹出口Ｓ付近には、左右方向に延びる複数（ここでは５つ）の板状の前ブレード５，５，・・・が互いに平行に配設されている。
【００２６】
各前ブレード５の左右両端部の前側には、図２に示すように、左右方向に突出する回動軸５１，５１が同軸上に設けられている。そうして、これら回動軸５１，５１が枠体３の左右側壁に回動可能に支持されていることより、各前ブレード５は、左右方向に延びる軸Ａ周り（つまり、上下方向）に回動可能になっている。従って、本実施形態では、左右方向が第１方向となり、軸Ａが第１軸となる。
【００２７】
各前ブレード５の右端部の略中央部には、突出部５３が設けられている。そして、５つの前ブレード５，５，・・・の突出部５３がリンク部材（不図示）で連結されていることにより、５つ全ての前ブレード５が連動して上下方向に回動するようになっている。
【００２８】
枠体３内部の前ブレード５よりも後側で且つ上記シャッタよりも前側には、上下方向に延びる複数（ここでは４つ）の板状の後ブレード７，７，・・・が互いに平行に配設されている。
【００２９】
各後ブレード７の上下両端部には、図２，３に示すように、上下方向に突出する回動軸７１が同軸上に設けられている。そして、これら回動軸７１，７１が枠体３の上下側壁に回動可能に支持されていることにより、各後ブレード７は、上下方向に延びる軸Ｂ周り（つまり、左右方向）に回動可能になっている。従って、本実施形態では、上下方向が第２方向となり、軸Ｂが第２軸となる。
【００３０】
各後ブレード７の下端部の後部には、突出部７３が設けられている。そして、４つの後ブレード７，７，・・・の突出部７３がリンク部材（不図示）で連結されていることにより、４つ全ての後ブレード７が連動して左右方向に回動するようになっている。
【００３１】
複数の後ブレード７，７，・・・の１つ（図１の右から２番目の後ブレード７）には、該後ブレード７の前端縁から後方に向かって切欠かれて前方に開口する切欠部７５が形成されている。
【００３２】
切欠部７５の周縁部の前端近傍には、互いに上下方向に対向する一対のフランジ状の張出部７７，７７が設けられ、両張出部７７，７７は、棒状の係合柱７９により接続されている。こうして、切欠部７５の周縁部における上側と下側とが係合柱７９により接続されている。
【００３３】
係合柱７９は、球体７９ａと、該球体７９ａの上端部と切欠部７５の周縁部における上側とを接続する第１軸部７９ｂと、球体７９ａの下端部と切欠部７５の周縁部における下側とを接続する第２軸部７９ｃとを有する。
【００３４】
そうして、レジスタ１は、複数の前ブレード５，５，・・・を上下方向に、複数の後ブレード７，７，・・・を左右方向にそれぞれ回動させるための回動機構９をさらに備えている。
【００３５】
回動機構９は、レジスタ１の使用者が空気の吹出方向を調節する際に掴む操作ノブ９１と、後ブレード７の係合柱７９と係合するリンクアーム９３とを有する。
【００３６】
操作ノブ９１には、図２，４に示すように、当該操作ノブ９１を左右方向に貫通するスリット９１ａが設けられている。操作ノブ９１は、スリット９１ａから４つの前ブレード５，５，・・・の１つ（図１の上から３番目の前ブレード５）に外挿され、該前ブレード５に左右方向にスライド移動可能に取り付けられている。
【００３７】
操作ノブ９１のスリット９１ａ下側の後端部には、リンクアーム９３を連結するための連結片９１ｂが左右両端部それぞれに設けられ、各連結片９１ｂには、後述するリンクアーム９３の連結突起９３ｅが嵌合する嵌合孔９１ｃが設けられている。
【００３８】
操作ノブ９１のスリット９１ａ下側の後端部における左右方向略中央部には、後方に向かって突出する２つの規制突起９１ｄ，９１ｄが離間して設けられている。
【００３９】
リンクアーム９３は、図２，５に示すように、二股状に形成されていて、左右方向に間隔を空けて設けられた一対の脚部９３ａ，９３ａと、これら一対の脚部９３ａ，９３ａの前端部同士を連結する位置決め部９３ｂと、各脚部９３ａの外側部分から左右方向に延出すると共に、その延出端部で屈曲して前方に向かって延出する延出部９３ｃ，９３ｃと、各脚部９３ａの後端部に連続して後方に延びる一対の係合片部９３ｄ，９３ｄとを有する。
【００４０】
両延出部９３ｃ，９３ｃの前端部外側には、左右方向に突出する連結突起９３ｅが同軸上に設けられている。そして、両延出部９３ｃ，９３ｃの前端部が連結片９１ｂと規制突起９１ｄとの間に配置され、両延出部９３ｃ，９３ｃの連結突起９３ｅ，９３ｅが嵌合孔９１ｃ，９１ｃに回動自在に嵌合されていることにより、操作ノブ９１とリンクアーム９３とが左右方向に延びる軸Ｃ周り（つまり、上下方向）に互いに回動可能に連結されている。従って、本実施形態では、軸Ｃが第３軸となる。
【００４１】
位置決め部９３ｂは、規制突起９１ｄ，９１ｄ間に配置されており、このことにより、位置決め部９３ｂと両規制突起９１ｄ，９１ｄとで、操作ノブ９１及びリンクアーム９３の左右方向の相対移動を規制し、操作ノブ９１とリンクアーム９３との連結が解除されることを防止している。
【００４２】
各係止片部９３ｄの対向面（内側の面）９３ｈには、球体７９ａの曲面に対応する凹状湾曲面９３ｆを有する係合溝９３ｇが前後方向に延びるように形成されている。
【００４３】
そして、両係合片部９３ｄ，９３ｄは、図６に示すように、係合溝９３ｇの凹状湾曲面９３ｆで球体７９ａを左右方向の両側から挟んで該球体７９ａに嵌合（係合）している。つまり、両係合片部９３ｄ，９３ｄの係合溝９３ｇ，９３ｇに球体７９ａが嵌合している。こうして、リンクアーム９３は、球体７９ａに前後方向に摺動可能に且つ、上下方向に傾動可能に常時係合している。
【００４４】
（レジスタの動作）
次に、上記シャッタを開けた状態で調和空気の吹出方向を上下左右に調整する方法について説明する。
【００４５】
まず、調和空気の吹出方向を上下に調整する場合について、図７を参照しながら説明する。
【００４６】
前ブレード５が水平状態にあるとき（図７（ａ）の状態）から調和空気の吹出方向を下向きに調整するには、操作ノブ９１を下方向に回動させる。これにより、操作ノブ９１が装着された前ブレード５が該前ブレード５の前側部分が下側に、後側部分が上側になるように上記軸Ａ周りに回動し、それに連動して他の全ての前ブレード５，５，・・・も同様に、前側部分が下側に、後側部分が上側になるように回動する。このとき、リンクアーム９３と操作ノブ９１との連結部ＪＴ（連結片９１ｂと連結突起９３ｅ）が図７（ａ）に示す位置から斜め前方上側に移動するため、リンクアーム９３は、軸Ｃ周りに回動しながら前方に移動する。こうして、図７（ｂ）に示す調和空気の吹出方向が下向きに調整された状態になる。
【００４７】
また、前ブレード５が水平状態にあるとき（図７（ａ）の状態）から調和空気の吹出方向を上向きに調整するには、操作ノブ９１を上記とは逆に上方向に回動させる。これにより、操作ノブ９１が装着された前ブレード５が該前ブレード５の前側部分が上側に、後側部分が下側になるように上記軸Ａ周りに回動し、それに連動して他の全ての前ブレード５，５，・・・も同様に、前側部分が上側に、後側部分が下側になるように回動する。このとき、リンクアーム９３と操作ノブ９１との連結部ＪＴが図７（ａ）に示す位置から斜め前方下側に移動するため、リンクアーム９３は、軸Ｃ周りに回動しながら前方に移動する。こうして、図７（ｃ）に示す調和空気の吹出方向が上向きに調整された状態になる。
【００４８】
一方、調和空気の吹出方向を左右に調整する際には、操作ノブ９１を左右方向にスライド移動させる。これにより、操作ノブ９１の移動力がリンクアーム９３の脚部９３ａから係合柱７９が設けられた後ブレード７に伝動して該後ブレード７が軸Ｂ周り（左右方向）に回動し、それに連動して他の全ての後ブレード７が左右方向に回動し、調和空気の吹出方向が左右に調整される。
【００４９】
（実施形態１の効果）
本実施形態１のレジスタ１では、リンクアーム９３の係合片部９３ｄ，９３ｄが球体７９ａに常時嵌合（係合）しているため、操作ノブ９１の嵌合孔９１ｃやリンクアーム９３の連結突起９３ｅ，９３ｅが摩耗して、操作ノブ９１とリンクアーム９３との連結が緩んだとしても、空調装置からの調和空気等によりリンクアーム９３が軸Ｃ周り（上下方向）に回動してバタつくことはない。
【００５０】
《実施形態２》
次に、本発明の実施形態２に係るレジスタについて説明する。
【００５１】
この実施形態２に係るレジスタは、リンクアームの構成のみが実施形態１と異なる。そこで、実施形態１と同様の構成については同一の符号を付して適宜説明を省略し、実施形態１と異なる構成を中心に説明する。
【００５２】
図８は、実施形態２に係るリンクアーム１９３の斜視図である。リンクアーム１９３は、上記実施形態１とは異なり、係合片部を有しておらず、脚部９３ａの後端面から後方に向かって突出する円柱形状の係合ピン１９３ｄを有している。
【００５３】
係合ピン１９３ｄは、各脚部９３ａの後端面に２本ずつ、合計４本設けられている。これら４本の係合ピン１９３ｄ，１９３ｄ，・・・は、図９に示すように、球体７９ａの中心Ｑに対して点対称に配置されていて、第１軸部７９ｂと球体７９ａとの接続部７９ｄ近傍及び第２軸部７９ｃと球体７９ａとの接続部７９ｅ近傍で係合柱７９に当接している。より具体的には、４本の係合ピン１９３ｄ，１９３ｄ，・・・は、係合柱７９の左側で第１軸部７９ｂ及び球体７９ａに当接する係合ピンと、係合柱７９の左側で第２軸部７９ｃ及び球体７９ａに当接する係合ピンと、係合柱７９の右側で第１軸部７９ｂ及び球体７９ａに当接する係合ピンと、係合柱７９の右側で第２軸部７９ｃ及び球体７９ａに当接する係合ピンとで構成されている。こうして、リンクアーム１９３は、球体７９ａに前後方向に摺動可能に且つ、上下方向に傾動可能に常時係合している。
【００５４】
（実施形態２の効果）
実施形態２に係るレジスタでは、リンクアーム１９３の係合ピン１９３ｄが球体７９ａに常時当接（係合）しているため、上記実施形態１と同様に、リンクアーム１９３のバタつきを防止することができる。
【００５５】
また、係合ピン１９３ｄは、上記実施形態１に係る係合片部に比べて球体７９ａに対する大きさを小さくし得る。従って、空調装置からの調和空気等の流通抵抗を上記実施形態１よりも低減することができる。
【００５６】
（実施形態２の変形例）
上記実施形態２について、以下のような構成としてもよい。
【００５７】
即ち、係合ピン１９３ｄは、円柱形状のピンに限られず、例えば、断面形状が楕円形、扇形、三角形、四角形、Ｌ字形等のピンにしてもよい。
【００５８】
また、係合ピン１９３ｄの本数も、４本に限られず、２本以上であればよい。但し、リンクアーム１９３と球体７９ａとの係合が解除される（つまり、リンクアーム１９３が球体７９ａから離脱する）ことがないようにしなければならない。具体的には、係合ピンの本数を２本にする場合には、図１０に示すように、一方の係合ピン１９３ｄ１を係合柱７９の左右方向の一方側（図１０においては左側）で第１軸部７９ｂ及び球体７９ａに当接するように配置すると共に、他方の係合ピン１９３ｄ２を係合柱７９の左右方向の他方側（図１０においては右側）で第２軸部７９ｃ及び球体７９ａに当接するように配置すればよい。
【００５９】
係合ピンの本数を３本にする場合には、例えば図１１に示すように、球体７９ａの中心Ｑを通る直線Ｘで該球体７９ａを２分割したときに、３本の係合ピンのうちの２本の係合ピン１９３ｄ３及び１９３ｄ４を上記２分割された球体７９ａの一方側（図１１では左側）に当接するように配置すると共に、残り１本の係合ピン１９３ｄ５を上記２分割された球体７９ａの他方側（図１１では右側）の部分であって、上記係合ピン１９３ｄ３，１９３ｄ４と球体７９ａの中心Ｑに対して点対称になる位置の間（図１１の仮想的な２本の係合ピン１９３ｉ１，１９３ｉ２の間）の部分に当接するように配置すればよい。尚、３本の係合ピンのうちの２本の係合ピンを上記係合ピン１９３ｄ１，１９３ｄ２のように配置し、残りの１本の係合ピンを球体７９ａの任意の部分に当接するように配置してもよいことは勿論である。
【００６０】
係合ピンの本数を４本にする場合には、例えば４本の係合ピンを球体７９ａに当接するように球体７９ａの中心Ｑに対して点対称に配置すればよい。ここにおいて、上記実施形態２のように、４本の係合ピンを第１軸部７９ｂ及び第２軸部７９ｃに当接させなくともよい。尚、４本の係合ピンのうちの２本の係合ピンを上記係合ピン１９３ｄ１，１９３ｄ２のように配置し、残りの２本の係合ピンを球体７９ａの任意の部分に当接するように配置したり、４本の係合ピンのうちの３本の係合ピンを上記係合ピン１９３ｄ３，１９３ｄ４，１９３ｄ５のように配置し、残りの１本の係合ピンを球体７９ａの任意の部分に当接するように配置してもよいことは勿論である。
【００６１】
係合ピンの本数を５本以上にする場合には、例えば５本以上の係合ピンのうちの２本の係合ピンを上記係合ピン１９３ｄ１，１９３ｄ２のように配置し、残りの係合ピンを球体７９ａの任意の部分に当接するように配置するか、５本以上の係合ピンのうちの３本の係合ピンを上記係合ピン１９３ｄ３，１９３ｄ４，１９３ｄ５のように配置し、残りの係合ピンを球体７９ａの任意の部分に当接するように配置するか、或いは、５本以上の係合ピンのうちの４本の係合ピンを球体７９ａに当接するように球体７９ａの中心Ｑに対して点対称に配置し、残りの係合ピンを球体７９ａの任意の部分に当接するように配置すればよい。
【００６２】
さらに、リンクアーム１９３は、二股状に形成されていなくともよく、例えば左右の延出部９３ｃを連続させると共に、該延出部９３ｃの後端面に係合ピン１９３ｄを設けてもよい。
【００６３】
《その他の実施形態》
本発明は、上記実施形態１，２について、以下のような構成としてもよい。
【００６４】
即ち、操作ノブ９１とリンクアーム９３，１９３の連結構造は、上記に限られず、例えば、リンクアーム９３，１９３の連結突起９３ｅを延出部９３ｃ前端部の内側部分に設け、該延出部９３ｃ前端部を操作ノブ９１の連結片９１ｂ外側に配置し、両延出部９３ｃ，９３ｃの連結突起９３ｅを連結片９１ｂの外側から嵌合孔９１ｃに嵌合してもよい。
【００６５】
また、球体７９ａと切欠部７５の周縁部とを第１軸部７９ｂ及び第２軸部７９ｃを介さずに直接連結するようにしてもよい。
【産業上の利用可能性】
【００６６】
本発明は、操作ノブを操作することにより調和空気等の吹出方向を調節することができるレジスタにおいて、操作ノブに回動可能に連結されたリンクアームのバタつきを防止することができる点で有用である。
【符号の説明】
【００６７】
１                レジスタ
３                枠体
５                前ブレード
７                後ブレード
７５              切欠部
７７              張出部
７９              係合柱
７９ａ            球体
７９ｂ            第１軸部
７９ｃ            第２軸部
９                回動機構
９１              操作ノブ
９３，１９３      リンクアーム
９３ａ            脚部
９３ｄ            係合片部
９３ｆ            凹状湾曲面
９３ｇ            係合溝
９３ｈ            対向面
１９３ｄ          係合ピン
Ａ                軸（第１軸）
Ｂ                軸（第２軸）
Ｃ                軸（第３軸）
Ｑ                中心
Ｓ                吹出口
Ｘ                直線
【図１】
0005638422.tif 000002
【図２】
0005638422.tif 000003
【図３】
0005638422.tif 000004
【図４】
0005638422.tif 000005
【図５】
0005638422.tif 000006
【図６】
0005638422.tif 000007
【図７】
0005638422.tif 000008
【図８】
0005638422.tif 000009
【図９】
0005638422.tif 000010
【図１０】
0005638422.tif 000011
【図１１】
0005638422.tif 000012